(57)【特許請求の範囲】
【請求項１】
表装クロスと、その裏面の所定位置に貼付した一対の表紙心紙と背ばり紙と、背ばり紙との間に空間部が形成されるように左右の表紙心紙に亘って接着した連結補強紙と、表紙裏面を覆う見返し紙とからなることを特徴とするアルバム等の表紙。
【請求項２】
請求項１記載のアルバム等の表紙の背の裏側部分に、台紙相互間の間隔を空けた状態で該台紙の綴じ側に熱溶融性接着剤を塗布したものを接着し、表裏の表紙を綴じた状態で常温放置し、上記熱溶融性接着剤が固化途中の時点で表紙外部の左右ののど部から圧力をかけて背の部分が膨出して丸みを帯びた背丸状態となるようにし、さらに、熱溶融性接着剤が常温に冷却するまで固定保持して該熱溶融性接着剤を完全に固化させることを特徴とするアルバム等の製本方法。
【発明の詳細な説明】
【０００１】
【発明の属する技術分野】
この発明は、熱溶融性接着剤を使用し、台紙相互間の間隔を空けて製本するようにしたアルバム、スクラップブック等における表紙の構成およびその表紙を使用した背丸ホローバック製本による製本方法に関するものである。
【０００２】
【従来の技術】
従来からアルバムやスクラップブック等の製本物において、熱溶融性接着剤を用い台紙相互間の間隔を空けて製本するようにしたアルバム等がある。例えば実公昭６３−２５１７６号公報に開示された台紙帳は、図５に示すように、表紙部ａ、ｂおよび背表紙部ｃを有する表紙体と、各々が綴じ付け側縁部間をその厚さ方向に所定の厚紙の厚さ相当の間隔を隔てて配置された複数枚の台紙ｄと、その台紙の各々の上記綴じ付け側縁部近傍において上記間隔を保つように各台紙の相互間に介在すると共に上記複数枚の台紙の綴じ付け側縁部の端面を上記背表紙の内側に結合している熱溶融性の接着剤ｅとからなる構成である。そして台紙としては、写真用アルバム、絵はがき用アルバム、切手収集帳、コイン収集帳、スクラップブック等のように、それぞれの用途に応じた台紙を使用して製本したものである。
【０００３】
かかる台紙帳によって、台紙相互間の間隔を空けた製本物が簡単かつ廉価に得られるようになった。そして、アルバム等においては、台紙に写真を貼付して台紙が厚くなっても、アルバムの小口が背巾より膨らんだりしないアルバムを提供できるようになった。
【０００４】
しかしながら、かかる製本物は熱溶融性接着剤を使い台紙相互間の間隔を空けた構造であるため、結果として台紙の背（綴じ付け側縁部）が比較的柔軟なものになり、背丸製本やホローバック製本など、台紙の背が硬いことが要求される種々の従来の製本方法を採用できなかった。そのため、台紙を背角タイプの背表紙に直着けした廉価な簡易製本タイプのアルバム等の製本物しか商品化されていないのが現状である。
【０００５】
アルバム等は、本来記念となる写真等を長年にわたり収納保存するという製品の性格上、廉価、簡易なタイプのみならず、美麗、豪華なものなど高級感ある製品も求められる。しかし、上記構成では背丸やホローバック製本などの本格製本タイプの商品が提供できないという問題点が指摘されている。
【０００６】
一方、背丸製本についてさらに説明すると、従来の書籍の背丸の製本は、製本中身の背の丸み出しを行い、この中身の丸みに従って表紙をかぶせていた。即ち、順序として先ず中身の丸み出しが行われ、背表紙はその中身の形状に従うものであって、背の丸み形状に中身を合わせるものではなかった。従って、台紙相互間の間隔を空けた製本やヒンジを付けたアルバム台紙のように腰のない用紙の製本をするのは困難であり、そのままの状態では背丸製本は不可能であった。
【０００７】
そこで、本出願人は先に特願２０００−１４６４０８号において、背貼り紙を樹脂製の合成紙とし加熱成型することにより背丸製本物を得ることを出願している。しかしながらこの技術により得られる製本物は背が固定されているため、中身を見るときに見開きが悪いという課題を残したものであった。
【０００８】
【発明が解決しようとする課題】
本発明は、上記各課題に鑑みなされたものであり、熱溶融性接着剤を使った台紙相互間の間隔を空けた製本において、背丸ホローバック製本に適した表紙を提供すると共に、その表紙を使用する製本方法を提案して、簡単廉価に上製本の体裁を得ることができるようにし、さらに、高級感がありかつ頁の見開きが良く使用しやすいアルバム等を提供することを目的とするものである。
【０００９】
【課題を解決するための手段】
上記各課題を解決するため、請求項１に記載した発明は、表装クロスと、その裏面の所定位置に貼付した一対の表紙心紙と背ばり紙と、背ばり紙との間に空間部が形成されるように左右の表紙心紙に亘って接着した連結補強紙と、表紙裏面を覆う見返し紙とで表紙を構成するという手段を採用した。
【００１０】
上記構成の表紙は、背ばり紙と連結補強紙との間に空間部が形成されているので、製本後、該空間部によってホローバック製本とすることができるものである。
【００１１】
また、請求項２に記載の発明は、上記請求項１記載のアルバム等の表紙の背の裏側部分に、台紙相互間の間隔を空けた状態で該台紙の綴じ側に熱溶融性接着剤を塗布したものを接着し、表裏の表紙を綴じた状態で常温放置し、上記熱溶融性接着剤が固化途中の時点で表紙外部の左右ののど部から圧力をかけて背の部分が膨出して丸みを帯びた背丸状態となるようにし、さらに、熱溶融性接着剤が常温に冷却するまで固定保持して該熱溶融性接着剤を完全に固化させて製本するという製本方法を採用した。
【００１２】
上記製本方法によれば、背が背丸状態の製本物が極めて簡単な工程で得ることが可能となる。また、上記表紙は背ばり紙と連結補強紙が互いに接着されていないので、得られる製本物は背丸で、且つホローバックの製本物とすることができ、簡単廉価に上製本の体裁を得ることが可能となり、高級感のあるアルバム等が得られる。さらに、ホローバック製本によって各ページの見開きが良く見やすいアルバムを提供できる。
【００１３】
【発明の実施の形態】
以下、本発明にかかるアルバム等の表紙について好ましい実施の形態を図面に従って説明する。図１はアルバム表紙の例を示す平面図およびそのＡ−Ａ線断面図である。図において、１は表紙全面を覆う表装クロス、２、２は表裏の表紙の基体となる一対の表紙心紙、３は背表紙の基体となる背ばり紙である。また、４は表紙裏面で上記背ばり紙３を覆うように左右の表紙心紙２、２に亘って接着した連結補強紙、５は表紙の裏面全面を覆う見返し紙である。
【００１４】
この表紙の具体的な製作工程としては、先ず、表装クロス１の裏面に糊を塗布し、左右の表紙心紙２、２およびその間の背ばり紙３を所定の位置に配置して貼り付ける。次に、表装クロス１の天地を折り返し、さらに小口を折り返して接着し、その後、角部を適宜処理する。次に左右の表紙心紙２、２に亘って、帯状の連結補強紙４を背ばり紙３を覆うように接着するが、この時、背ばり紙３と連結補強紙４は接着せず、両者の間には空間部６を形成するようにする。最後に四方に僅かな隙間を残して裏面全面に見返し紙５を接着する。かかる工程によってアルバム表紙が完成する。
【００１５】
上記構成の表紙は、背ばり紙３と連結補強紙４が空間部６を介して互いに離れているので、製本後、該空間部６によってホローバックの状態とすることが可能となるものである。
【００１６】
次に、この表紙を使用した製本方法について説明する。先ず、図２に示すように、台紙７の相互間の間隔を空けた状態で該台紙の綴じ側に熱溶融性接着剤８を塗布し、これを開いた状態の上記表紙の背の裏側部分に接着する。これは従来から一般的に行われている熱溶融性接着剤を使用した製本と同様の手順であり、例えば、複数の台紙７、７・・間にスペーサを介装して一対の挟持板で挟持し（図示せず）、台紙の綴じ側に熱溶融性接着剤を塗布して、この塗布面を背表紙の内側面に圧着するのである。
【００１７】
次に、図３（Ａ）に示すように、表裏の表紙を綴じた状態で立てて常温放置し、熱溶融性接着剤８が放熱冷却されてある程度固化した時点で、表紙外部の左右からのど部９となる部分に適宜な方法で圧力をかける。この圧力によってのど部９が本の幅方向に圧縮され、同図（Ｂ）に示すように、背の部分が外側に膨出して丸みを帯びた背丸の状態になる。この状態で熱溶融性接着剤８が常温（室温）に冷却するまで固定保持すると、熱溶融性接着剤は放熱冷却され丸みを帯びたまま完全に固化し、背ばり紙も丸みを帯びた状態で落ち着くので、背表紙が背丸状態の製本物を得ることができる。
【００１８】
このようにして得られた製本物は、背ばり紙３と連結補強紙４とが相互に接着されていないので、製本物の背には空間部６が形成されており、図４に示すように表裏表紙を開けると筒状の空間部によって背丸ホローバックの製本物となる。
【００１９】
【発明の効果】
以上述べたように、本発明にかかるアルバム等の表紙は、背ばり紙の上に連結補強紙を設け、互いに接着しない構造としているので、中身を背表紙に接着しても、空間部が形成され、ホローバックの製本が簡単に可能となった。従って、製本物は見開きが良く、台紙も立つことがないので、非常に見やすい製本物とすることができる。
【００２０】
また、上述した製本方法によれば、表紙ののど部に左右から圧力をかけて背部分を膨出させるようにしたので、背丸表紙が極めて簡単な方法で構成することが可能となり、台紙相互間の間隔を空けた製本においても、背丸表紙となり、簡単かつ廉価に上製本の体裁を得ることができ、高級感のあるアルバム等を提供できるようになった。
【００２１】
また、背丸部分は背ばり紙と連結補強紙の二重構造であり、ホローバックの製本とすることができるので、見開きが良く、見やすいアルバムが提供できる。
【図面の簡単な説明】
【図１】（Ａ）は本発明にかかる表紙の一例を示す平面図、（Ｂ）はそのＡ−Ａ線断面図である。
【図２】本発明にかかる製本方法の説明図である。
【図３】背を背丸状態にする方法の説明図である。
【図４】製本物を見開いた状態を示す部分拡大断面図である。
【図５】従来の製本の例を示す部分拡大断面図である。
【符号の説明】
１    表装クロス
２    表紙心紙
３    背ばり紙
４    連結補強紙
５    見返し紙
６    空間部
７    台紙
８    熱溶融性接着剤
【図１】
0004422308.tif 000002
【図２】
0004422308.tif 000003
【図３】
0004422308.tif 000004
【図４】
0004422308.tif 000005
【図５】
0004422308.tif 000006